(57)【要約】【課題】アダプタを用いて最新の小型ＳＤメモリカードを既存のＳＤ拡張スロットに適合させ、デジタル製品との互換性を増強させる。【解決手段】本体１は、ベース１１と上蓋１２を組み合せて構成され、その外形はＳＤメモリカードと同一である。ベース１１の前端には複数の端子２を容置できる端子台１１１が設けられ、端子２の後端２２はベース１１の収容溝１１３表面に延伸し、上蓋１２には収容溝１１３の形に合わせた貫通溝１２１が設けられ、そのフレームの側辺には切り溝１２２が形成される。上開き式の箱体４は、前端両側にラグ４１が設置され、ベース１１と上蓋１２との間に設けられた枢接溝１１５に掛置くことができる。箱体４は、後側端に外に突出する掛止部４３を有する。弾性締結部材５は、その後端５１にベース１１の位置決め部１１０が固設され、中段には押圧部５２が形成され、前端の係止押圧部５３は箱体４の掛止部４３の上で押圧する。【選択図】　　　図２
0003098130.tif 000002
【実用新案登録請求の範囲】
【請求項１】
本体と、上開き式の箱体と、弾性締結部材とを備える小型メモリカード用アダプタであって、
前記本体は、ベースおよび上蓋を組み合せて構成され、外形はＳＤメモリカードと同一であり、ＳＤ拡張スロットに挿入可能であり、前記ベースの前端には複数の端子を容置可能な端子台が設けられ、端子台側辺に隣接して小型メモリカードを容置可能な収容溝が設けられ、前記端子の後端は収容溝の表面まで延伸しており、さらに前記ベースの側辺には位置決め部と凹陥部とがそれぞれ形成され、前記上蓋にはベースの収容溝の形に合わせた貫通溝が設けられ、その側辺には切り溝とノッチとがそれぞれ形成されており、
前記上開き式の箱体は、略冂型を呈して端子台に隣接して設けられ、前端の両側縁にはラグが設けられ、ベースと上蓋との間に設けられた枢接溝に掛置くことが可能であり、両側のラグを軸心として箱体が上向きに一定角度だけ開くようになっており、また前記箱体の後側端には外向きに突出する掛止部が設けられ、前記掛止部はベースの凹陥部に容置され、その上方は上蓋のノッチに対応しており、
前記弾性締結部材は、後端がベースの位置決め部に固設され、中段部には外向きに突出する押圧部が上蓋の切り溝にて露出し、前端の係止押圧部は箱体の掛止部の上で押圧することを特徴とする小型メモリカード用アダプタ。
【請求項２】
前記箱体は金属片で成形されており、その掛止部にはＬ型フック体が設置され、前記弾性締結部材も金属片で成形されており、その自由端はＬ型フック体部の係止押圧部に押圧され、上方に外向きのガイド斜面が設けられていることを特徴とする請求項１に記載の小型メモリカード用アダプタ。
【請求項３】
前記小型メモリカードは小型ＳＤカードであることを特徴とする請求項１に記載の小型メモリカード用アダプタ。
【請求項４】
前記箱体は掛止部に対して別の側辺に外に開いた導引片が設けられ、さらに箱体の底縁には弾性掣子が設けられていることを特徴とする請求項１に記載の小型メモリカード用アダプタ。
【考案の詳細な説明】
【０００１】
【考案の属する技術分野】
本考案は小型メモリカードのアダプタに関し、特に最新の小型メモリカード（Ｍｉｎｉ　ＳＤ）と既存のＳＤ拡張スロットを互換させる装置に関する。
【０００２】
【従来の技術】
デジタル製品の開発が進むにつれ、例えばＰＤＡ、デジタルビデオカメラ、デジタルカメラ等が次第に普及しつつある。こうしたデジタル製品の長所は、拡張スロットを有しており、例えばＣＦ（Ｃｏｍｐａｃｔ　Ｆｌａｓｈ）、ＳＭ（Ｓｍａｒｔ　Ｍｅｄｉａ「登録商標」）、ＳＤ（Ｓｅｃｕｒｅ　Ｄｉｇｉｔａｌ）、ＭＭＣなど各種のメモリカードを装着連結することによって、製品の機能性が高まることである。
然るに、ＣＦメモリカードの体積が大きいことによる制約を改善するために、業界では体積がＳＭメモリカードと同じで、厚みが若干厚いＭＭＣカードが導入されてきた。新型ＭＭＣメモリカードは、ＣＦカードの読み出し書き込みの速度が遅いという欠点を克服したが、初期にはこれをサポートするＩＡ製品が少なかったため、相対的に高価になっている。
【０００３】
さらに、デジタル著作権の保護を求める声が高まるにつれ、暗号化機能を備え、造型がＭＭＣの外形と同じＳＤメモリカードが登場し、これは高速伝送、データの暗号化など多機能を同時に具備するほか、ＳＤメモリカードをサポートするハードウエアもＭＭＣメモリカードのバックトラック互換特性を兼備している。
図１は、従来のＳＤカード１０２をＰＤＡ１００に使用するところを示した図である。ＳＤカード１０２の厚みはＳＭカードよりも厚くスペースをとるため、これまでのＳＤカード１０２よりも体積がさらに小さい新しい小型ＳＤカード３が登場したが、この小型ＳＤカード３は既存のＳＤ拡張スロットに適合していないため、現有のデジタル製品には小型ＳＤカードがもたらす実用性や機能性を享受できないという問題があった。
【０００４】
【考案が解決しようとする課題】
上記課題を解決するにあたり、本考案はアダプタを用いて最新の小型ＳＤメモリカードを既存のＳＤ拡張スロットに適合させ、デジタル製品との互換性を増強させることを主な目的とする。
【０００５】
【課題を解決するための手段】
上記目的を達成するために、本考案が課題を解決するための技術手段には、本体、上開き式の箱体、弾性締結部材が含まれる。
本体は、ベースおよび上蓋を組み合せて構成され、その外形はＳＤメモリカードと同一で、一般的なＳＤ拡張スロットに挿入できる。ベースの前端には複数の端子を容置できる複数の端子台が設けられ、端子台に隣接して小型メモリカードを容置できる収容溝が設けられ、前記端子の後端は収容溝の表面まで延伸し、さらに前記ベースの側辺には位置決め部と凹陥部がそれぞれ形成される。また前記上蓋にはベースの収容溝の形に合わせた貫通溝が設けられ、そのフレームの側辺には切り溝とノッチが形成されている。
【０００６】
上開き式の箱体は、略冂型を呈して端子台に隣接して設けられ、その前端の両側縁にはラグが設けられ、ベースと上蓋との間に設けられた枢接溝に掛置くことができ、両側のラグを軸心として箱体が上向きに一定角度だけ開くようになっている。また前記箱体の側端には外向きに突出する掛止部が設けられ、前記掛止部はベースの凹陥部に容置され、その上方は上蓋のノッチに対応している。
弾性締結部材は、その後端がベースの位置決め部に固設され、中段部には外に突出している押圧部が上蓋の切り溝にて露出し、前端の係止押圧部は箱体の掛止部の上で押圧する。
【０００７】
【考案の実施の形態】
図２の分解立体図に示したように、本考案の実施例が開示する小型メモリカードのアダプタは下記を備えている。
本体１は、ベース１１と上蓋１２から構成され、その外形はＳＤメモリカードと同一で、即ち図１に示した一般的なＳＤ拡張スロット１０１に挿入することができる。このうち、前記ベース１１の前端には複数の端子２を容置できる複数の端子台１１１が設けられ、前記端子２の前端２１は貫通している溝孔１１２に嵌入されてその一部がベース１１の底縁面から突出し、拡張スロット１０１と電気的に接触する機能を有している。
【０００８】
また、端子台１１１の側辺に隣接して小型メモリカード３を容置できる収容溝１１３が設けられ、ここでいう小型メモリカード３とは小型ＳＤカードのことであり、端子２の後端２２は収容溝１１３の表面まで延伸しており、さらに前記ベース１１の側フレームの一辺に位置決め部１１０および凹陥部１１４が形成される。また前記上蓋１２にはベース１１の収容溝１１３の形に合わせた貫通溝１２１が設けられ、そのフレームの側辺には切り溝１２２およびノッチ１２４が形成されている。
【０００９】
上開き式の箱体４は、金属で成形され、略冂型を呈して端子台１１１に隣接して設けられており、その前端の両側縁にはラグ４１が設けられ、ベース１１と上蓋１２との間に設けられた枢接溝１１５に掛置くことができ、箱体４が両側のラグ４１を軸心として、後端が上向きに一定角度だけ開くようになっている（図８参照）。また箱体４の左側にはベース１１と上蓋１２における漸次縮小するフレーム斜面１１６、１２３に合わせて、外に開く導引片４２が設けられ、右側端には外に突出する掛止部４３が設置され、前記掛止部はベース１１の凹陥部１１４に容置され、且つその上方は上蓋のノッチ１２４に対応しており、箱体４の底縁には下方向に傾いて延伸し先が収容溝１１３に接する少なくとも１つの弾性掣子４４が設置されている。
【００１０】
弾性締結部材５は、金属片で成形され、その後端５１は上蓋１２が高周波によってベース１１と結合する際に、ベース１１の位置決め部１１０に固定され、中段部には外側に突出する押圧部５２が形成され、上蓋１２の切り溝１２２にて押圧できるように露出されており、前端の係止押圧部５３は箱体の掛止部４３の上側で押圧する。
【００１１】
小型メモリカード３は、主に最新の小型ＳＤカードから構成され、その前端３１は前記上開き式の箱体４に挿入でき、底面には端子後端２２と接触して電気導通する連接インターフェース（図示なし）を符号３２の位置に備えている。
さらに、ベース１１と上蓋１２との間の端子台１１１の左側後方に摺動塊１１７を設け、摺動塊１１７の移動によって読み出し書き込みをオンまたはオフにするが、一般的なＳＤカードが有する機能であるため、ここでは詳述しない。
【００１２】
上記技術手段を用いて、それを組み立てた後の立体図および側面図は図３、図４に示した通りであるが、その本体１の外形は従来のＳＤカードと同一であり、図１０に示した既存のＳＤ拡張スロット１０１に装着することができ、こうして小型ＳＤカードを旧型のＳＤ拡張スロット１０１に適合させることができる。
図５は前記弾性締結部材５の係止押圧動作を示した図であり、小型メモリカード３を水平に本体１の上方に置くとき、本体１の側辺に位置する弾性締結部材５は、その後端５１によって固定され、前端は弾性を有する自由端として設計され、箱体４が上開き角度（図８参照）から下向きに閉じられるとき、掛止部４３の底縁が係止押圧部５３上方のガイド斜面５３１を滑動して、掛止部４３のＬ型フック体４３１が係止押圧部５３のガイド斜面５３１の下方にフックされて、図６に示した状態となり、このとき小型メモリカード３は図３に示したように、箱体４によって本体１に固定されて、ＳＤカードの形態が形成される。
【００１３】
図５、７及び８に示したように、押圧部５２が内側に押圧されたときには、自由端の係止押圧部５３が内側に引っ込んで、箱体４の掛止部４３を係止から離脱させ、図９に示したように、箱体４はラグ４１を軸心として底縁面の弾性掣子４４によって箱体４の後端を本体１の表面に弾き出し、このとき使用者は指でそれを上向きに開いて、次いで小型メモリカード３の前端を箱体４から抜き出せば、即ち取り出して交換するという目的を達成できる。
【００１４】
上記構造によって、本実施例は最新の小型ＳＤカードを既存のＳＤ拡張スロットに適合させ、簡便な操作により、幅広く使用できるようになりおよび実用性が向上した。
【図面の簡単な説明】
【図１】既存のＳＤメモリカードと拡張スロットを示す概略図である。
【図２】本考案の実施例による小型メモリカード用アダプタを示す分解立体図である。
【図３】本考案の実施例による小型メモリカード用アダプタの小型ＳＤを示す斜視図である。
【図４】本考案の実施例による小型メモリカード用アダプタの小型メモリカード用アダプタの小型ＳＤを示す側面図である。
【図５】本考案の実施例による小型メモリカード用アダプタの位置決め体と弾性締結片の構造を示す概略図である。
【図６】本考案の実施例による小型メモリカード用アダプタの図５のＡ部分の拡大図である。
【図７】本考案の実施例による小型メモリカード用アダプタの図６の弾性締結片が掛止部から離脱した状態を示す拡大図である。
【図８】本考案の実施例による小型メモリカード用アダプタの位置決め体が開いた状態を示す立体図である。
【図９】本考案の実施例による小型メモリカード用アダプタの位置決め体が開いた状態を示す側面図である。
【図１０】本考案の実施例による小型メモリカード用アダプタを使用する状態を示す概略図である。
【符号の説明】
１　　本体
１１　　ベース
１２　　上蓋
１１０　　位置決め部
１１１　　端子台
１１２　　溝孔
１１３　　収容溝
１１４　　凹陥部
１１５　　枢接溝
１１６　　斜面
１１７　　摺動塊
１２１　　貫通溝
１２２　　切り溝
１２３　　斜面
１２４　　ノッチ
２　　端子
２１　　前端
２２　　後端
３　　小型メモリカード
３１　　前端
３２　　接触インターフェース
３３　　斜辺
４　　箱体
４１　　ラグ
４２　　導引片
４３　　掛止部
４３１　　フック体
４４　　弾性掣子
５　　弾性締結部材
５１　　後端
５２　　押圧部
５３　　係止押圧部
５３１　　ガイド斜面
【図１】
0003098130.tif 000003
【図２】
0003098130.tif 000004
【図３】
0003098130.tif 000005
【図４】
0003098130.tif 000006
【図５】
0003098130.tif 000007
【図６】
0003098130.tif 000008
【図７】
0003098130.tif 000009
【図８】
0003098130.tif 000010
【図９】
0003098130.tif 000011
【図１０】
0003098130.tif 000012